(57)【特許請求の範囲】
【請求項１】
対物レンズが装着されたレンズホルダーを対物レンズの光軸方向に駆動して対物レンズによって収束される光ビームのフォーカス制御を行う対物レンズ駆動装置であって、レンズホルダーのフォーカスコイルが巻回されるボビン部に前記フォーカスコイルの巻回幅を規制するべく上下両側にリム部が形成され、レンズホルダーが対物レンズの光軸方向に変位された際の対物レンズ及び信号記録媒体の保護を行う保護部材を少なくともレンズホルダーの対物レンズを挟んだ両側における前記上側のリム部に係止して前記保護部材をレンズホルダーの各側面にそれぞれ設置し、かつ、前記保護部材を緩衝体により構成し、レンズホルダーを変位可能に弾性的に支持するべくレンズホルダーの各側に配置される複数の支持ワイヤーの少なくとも一部に前記保護部材を接触させて配置するようにしたことを特徴とする対物レンズ駆動装置。
【発明の詳細な説明】
【０００１】
【発明の属する技術分野】
本発明は、対物レンズが装着されるレンズホルダーが変位可能に弾性的に支持された対物レンズ駆動装置に関し、特に、信号記録媒体にレンズホルダーが衝突される際に信号記録媒体や対物レンズを保護する構成が施された対物レンズ駆動装置に関する。
【０００２】
【従来の技術】
ディスク等の信号記録媒体に対して光学的に信号の読み取り、あるいは書き込みを行う光学ヘッドにおいては、一般に、対物レンズ駆動装置により対物レンズが装着されるレンズホルダーを駆動して対物レンズによって収束される光ビームの信号記録媒体に対するフォーカス制御及びトラッキング制御を行うようになっており、レンズホルダーが支持ワイヤー等の弾性支持部材によってフレームに対して変位可能に弾性的に支持されている。
【０００３】
その為、フォーカスサーボ導入時における対物レンズの光軸方向への変位や衝撃等によりレンズホルダーが信号記録媒体に衝突し、対物レンズや信号記録媒体を損傷させる危惧がある。
【０００４】
従来、対物レンズ駆動装置としては、対物レンズの周辺にレンズホルダーのどの部位より突端が信号記録媒体に接近するように突部を設け、その突部を信号記録媒体に衝突させることにより対物レンズや信号記録媒体を保護するようにしたものが知られている。
【０００５】
【発明が解決しようとする課題】
ところで、薄型化が図られた光学ヘッドとしては、当然のことながら対物レンズ駆動装置も薄型化が推進されており、このような対物レンズ駆動装置においてはレンズホルダーの厚みの関係からトラッキングコイルの有効長を確保することが困難なためにトラッキングコイルを巻回する範囲を対物レンズの頂点付近まで拡大している。
【０００６】
レンズホルダーには、重量バランスの不均衡やトラッキングコイルの無効部分により発生される駆動力等に起因してトラッキング方向に変位される際に対物レンズの光軸と直交する方向を中心にした有害な回転力が発生する。
【０００７】
これによりレンズホルダーが傾いて変位されると、対物レンズが配置されるレンズホルダーの中央よりレンズホルダーの両脇部分が信号記録媒体に接近することになる。
【０００８】
特に、先に説明した薄型化が図られた光学ヘッドの対物レンズ駆動装置においては、トラッキングコイルを巻回するレンズホルダーの両脇部分の高さが高くなっており、対物レンズの周囲に突部を設けてもその突部の高さを信号記録媒体との確保する距離の点からむやみに高く出来ないので、そのレンズホルダーの両脇部分で信号記録媒体に衝突するという問題が発生した。
【０００９】
【課題を解決するための手段】
本発明は、レンズホルダーのフォーカスコイルが巻回されるボビン部に前記フォーカスコイルの巻回幅を規制するべく上下両側にリム部が形成され、レンズホルダーが対物レンズの光軸方向に変位された際の対物レンズ及び信号記録媒体の保護を行う保護部材を少なくともレンズホルダーの対物レンズを挟んだ両側における前記上側のリム部に係止して前記保護部材をレンズホルダーの各側面にそれぞれ設置し、かつ、前記保護部材を緩衝体により構成し、レンズホルダーを変位可能に弾性的に支持するべくレンズホルダーの各側に配置される複数の支持ワイヤーの少なくとも一部に前記保護部材を接触させて配置する。これによりレンズホルダーの各側面にそれぞれ設置する保護部材を前記上側のリム部により高さ方向の位置決めが行われるようにし、信号記録媒体に衝突される部分を保護部材として対物レンズ及び信号記録媒体を保護するようにすると共に、前記保護部材に接触されて配置される支持ワイヤーを制振させるようにしている。
【００１０】
【実施例】
図１は本発明に係る対物レンズ駆動装置の一実施例を示す平面図、図２は図１に示す対物レンズ駆動装置の側面からの端面図である。
【００１１】
同図において、１は中央に対物レンズ２が装着されたレンズホルダーであり、このレンズホルダー１は対物レンズ２が装着される位置を挟む両側に対物レンズ２の光軸を通る直線に対して線対称となる位置が第１ボビン部及び第２ボビン部となり、その第１ボビン部にフォーカスコイル３ａ及びトラッキングコイル４ａ，４ｂが、第２ボビン部にフォーカスコイル３ｂ及びトラッキングコイル４ｃ，４ｄがそれぞれ対応して巻回されるようになっている。
【００１２】
その為、レンズホルダー１の対物レンズ２が装着される中央部分の下方は、前記第１及び第２ボビン部間が空間になっている。
【００１３】
フォーカスコイル３ａ及び３ｂは一本のコイル線材を連続してそれぞれ第１及び第２ボビン部に対物レンズ２の光軸方向に巻回中心軸を有して略矩形状に巻回されており、互いに直列の接続されている。
【００１４】
また、トラッキングコイル４ａ，４ｂ及び４ｃ，４ｄは一本のコイル線材を連続してそれぞれ一つのボビン部に対して２つずつ対を成して対物レンズ２の光軸方向と直交する巻回中心軸を有して略矩形状に巻回されており、互いに直列に接続されている。
【００１５】
５及び６はレンズホルダー１の第１ボビン部を挟んで互いに同一磁極の一方の磁極面（Ｎ極）が対向するべくそれぞれ配置された第１の一対の永久磁石、７及び８はレンズホルダー１の第２ボビン部を挟んで互いに同一磁極の一方の磁極面（Ｎ極）が対向するべくそれぞれ配置された第２の一対の永久磁石である。
【００１６】
前記第１の永久磁石５及び６にはそれぞれ他方の磁極面（Ｓ極）にそれぞれ外部ヨーク９及び１０が付設されており、前記第２の永久磁石７及び８にはそれぞれ他方の磁極面（Ｓ極）にそれぞれ外部ヨーク１１及び１２が付設されている。
【００１７】
また、前記第１の永久磁石５及び６のそれぞれ一方の磁極面（Ｎ極）には、レンズホルダー１の各永久磁石５及び６の間の中央部分に形成される孔１３内に配置される内部ヨーク１４が対向されており、前記第１の永久磁石５及び６と外部ヨーク９及び１０と内部ヨーク１４とは永久磁石５の一方の磁極面と内部ヨーク１４との間、及び永久磁石６の一方の磁極面と内部ヨーク１４との間にそれぞれ磁気空隙を形成する第１磁気回路部を構成する。
【００１８】
また、前記第２の永久磁石７及び８のそれぞれ一方の磁極面（Ｎ極）には、レンズホルダー１の各永久磁石７及び８の間の中央部分に形成される孔１５内に配置される内部ヨーク１６が対向されており、前記第２の永久磁石７及び８と外部ヨーク１１及び１２と内部ヨーク１６とは永久磁石７の一方の磁極面と内部ヨーク１６との間、及び永久磁石８の一方の磁極面と内部ヨーク１６との間にそれぞれ磁気空隙を形成する第２磁気回路部を構成する。
【００１９】
第１磁気回路部と第２磁気回路部との間は、対物レンズ２の光軸と直交する方向から入射される光ビームを対物レンズ２に向けるべく反射させる反射ミラー（図示せず）が設置される空間となる。
【００２０】
レンズホルダー１の周囲には、外部ヨーク９及び１０、外部ヨーク１０及び１１、外部ヨーク１１及び１２、外部ヨーク１２及び９をそれぞれ連結してレンズホルダー１を囲うフレーム１７ａ〜１７ｄが構成され、フレーム１７ｄからは取付部１８が延設されてその取付部１８で対物レンズ駆動機構が対物レンズ２を除く光学素子が組み込まれる光学ハウジング（図示せず）に取り付けられる。
【００２１】
前記取付部１８には配線基板１９が固定され、その配線基板１９に各一方の端部がハンダ付け固定された４本の支持ワイヤー２０は各他方の端部でレンズホルダー１にハンダ付けにより固定され、それによりレンズホルダー１は各支持ワイヤー２０により変位可能に弾性的に支持されている。
【００２２】
この場合、各支持ワイヤー２０は対物レンズ２を挟んでレンズホルダー１の両側にそれぞれ上下２本が配置されて互いに平行に架設される。そして、レンズホルダー１の各側に配置されるそれぞれ２本の支持ワイヤー２０はそれぞれレンズホルダー１の各側面に取り付けられた各固定板２１及び２２に分かれてその他端がそれぞれハンダ付けされて固定される。
【００２３】
前記各支持ワイヤー２０は、配線基板１９に固定された補助部材２３に形成された溝内にそれぞれ配置され、それらの溝内に充填されるダンプ剤により制振されている。
【００２４】
このように構成される対物レンズ駆動装置は、フォーカシングコイル３ａ及び３ｂに直列にフォーカス制御信号を供給することによりそのフォーカス制御信号に応じてレンズホルダー１を介して対物レンズ２をフォーカス方向に駆動することが出来、トラッキングコイル４ａ乃至４ｄに直列にトラッキング制御信号を供給することによりそのトラッキング制御信号に応じてレンズホルダー１を介して対物レンズ２をトラッキング方向に駆動することが出来る。
【００２５】
次に、このように構成される対物レンズ駆動装置において、本発明の主要構成について図１、図２及びレンズホルダー部分を示した展開斜視図の図３を用いて更に詳細に説明する。
【００２６】
レンズホルダー１の第１ボビン部におけるフォーカスコイル３ａが巻回される部分及び第２ボビン部におけるフォーカスコイル３ｂが巻回される部分には、それぞれ巻回幅を規制するべく上下にリム部が形成され、レンズホルダー１の各側面側のそれぞれの辺の上下各リム部２４ａ，２４ｂ及び２５ａ，２５ｂに切り欠きが形成され、それらの切り欠きの間にはそれぞれフォーカシングコイル３ａ及び３ｂの巻回始端及び巻回終端とトラッキングコイル４ａ〜４ｄの巻回始端及び巻回終端とがそれぞれ独立して絡げられる係止部２６ａ〜２６ｄがレンズホルダー１と一体的に形成されている。
【００２７】
支持ワイヤー２０がハンダ付けされる固定板２１及び２２は、それぞれ対応する切り欠き及び各リム部２４ａ，２４ｂ及び２５ａ，２５ｂに嵌合されてレンズホルダー１の各側面に取り付けられる。
【００２８】
各支持ワイヤー２０が各固定板２１及び２２にハンダ付けにより固定される際に各係止部２６ａ〜２６ｄに絡げられた各巻回端部が一緒にハンダ付けされることによりフォーカシングコイル３ａ，３ｂ及びトラッキングコイル４ａ〜４ｄの各巻回端部はそれぞれ所定の支持ワイヤー２０に接続される。
【００２９】
また、レンズホルダー１の各側面には、それぞれナイロン樹脂により成形される保護部材２７及び２８が装着される。
【００３０】
一方の保護部材２７はリム部２４ａの両角と上側の係止部２６ａの３点により、他方の保護部材２８はリム部２５ａの両角と上側の係止部２６ｃの３点によりそれぞれ係止され、接着剤によりレンズホルダー１の各側面に設置される。
【００３１】
この場合、各リム部２４ａ及び２５ａがそれぞれ保護部材２７及び２８の高さ方向の位置決めを行う位置決め部の働きをし、これにより保護部材２７及び２８はレンズホルダー１における高さ方向の設置位置が確定され、各保護部材２７及び２８の頂点が確実にレンズホルダー１の他の部位より高くなると共に、信号記録媒体との必要な距離が確保される。
【００３２】
このように前記各保護部材２７及び２８がレンズホルダー１の各側面に設置されることによりレンズホルダー１が傾いて変位された場合であってもレンズホルダー１が信号記録媒体に衝突する際には保護部材２７及び２８のいずれかが衝突され、対物レンズ２や信号記録媒体が保護される。
【００３３】
また、上側の各支持ワイヤー２０の一部は保護部材２７及び２８に接触されて配置されるが、保護部材２７及び２８は緩衝体であるので、保護部材２７及び２８には各上側の支持ワイヤー２０を制振させる作用がある。
【００３４】
【発明の効果】
以上述べた如く、本発明は、レンズホルダーの対物レンズを挟んだ両側におけるレンズホルダーのフォーカスコイルが巻回されるボビン部の上側のリム部に保護部材を係止して該保護部材をレンズホルダーの各側面にそれぞれ設置するようにしているので、前記上側のリム部を利用してレンズホルダーの各側面に高さ方向の位置決めを行ってそれぞれ各保護部材が設置され、保護部材により対物レンズ及び信号記録媒体の保護を図ることが出来、この場合、レンズホルダーが傾いて変位される際に効果的に対物レンズ及び信号記録媒体の保護を図ることが出来、また、特に前記保護部材を緩衝体により構成し、レンズホルダーの各側に配置される複数の支持ワイヤーの少なくとも一部に保護部材を接触させて配置するようにしているので、保護部材が有する制振作用により保護部材に接触する支持ワイヤーを制振させることが期待できる。
【図面の簡単な説明】
【図１】本発明に係る対物レンズ駆動装置の一実施例を示す平面図である。
【図２】図１に示す対物レンズ駆動装置の側面からの端面図である。
【図３】本発明の主要構成であるレンズホルダー部分を示した展開斜視図である。
【符号の説明】
１                レンズホルダー
２                対物レンズ
３ａ，３ｂ        フォーカシングコイル
４ａ，４ｂ，４ｃ，４ｄ      トラッキングコイル
２０                支持ワイヤー
２１，２２          固定板
２４ａ，２４ｂ，２５ａ，２５ｂ      リム部
２７，２８          保護部材
【図１】
0003723378.tif 000002
【図２】
0003723378.tif 000003
【図３】
0003723378.tif 000004